(57)【要約】【課題】棚側に何ら加工を施す必要がなく、かつ簡単な形状の跳上げ防止具を、単に、汎用性のある支柱に取付けるだけの簡単かつ安価な構成で、棚の跳上がりを防止しうるようにする。【解決手段】支柱１における棚７の直上に位置する係合孔１６に、この係合孔１６の上下寸法より大きな上下寸法のストッパ片２５と、その外側端に斜め下向きに連設された、係合孔１６に挿入可能な挿入片２６とからなる跳上げ防止具２４を、その挿入片２６を係合孔１６に挿入することにより、ストッパ片２５が支柱１の内側面とフェンス１３の外側面との間に位置するとともに、ストッパ片２５の下端が棚７の隅部の上面に近接または当接するようにして取付ける。【選択図】  図３
2008220631.tif 000002
【特許請求の範囲】
【請求項１】
前後左右に並ぶ中空状の４本の支柱における左右に対向する内側面に設けた上下複数の係合孔のいずれかに、支持具を取付け、各支持具により、支柱の内側面における前記係合孔と対向する左右方向を向くフェンスを上面に有する棚を支持してなる商品陳列什器において、
前記いずれかの支柱における前記棚の直上に位置する係合孔に、この係合孔の上下寸法より大きな上下寸法のストッパ片と、外側端に斜め下向きに連設され、前記係合孔に挿入可能な挿入片とからなる跳上げ防止具を、その挿入片を前記係合孔に挿入することにより、前記ストッパ片が前記支柱の内側面と前記フェンスの外側面との間に位置するとともに、ストッパ片の下端が前記棚の隅部の上面と近接または当接するようにして取付けたことを特徴とする商品陳列什器。
【請求項２】
挿入片の厚さを、係合孔に斜め内側から挿入しうる寸法としてなる請求項１記載の商品陳列什器。
【請求項３】
ストッパ片の幅を、フェンスの外側面と支柱の内側面との対向面間の寸法とほぼ等しくしてなる請求項１または２記載の商品陳列什器。
【請求項４】
跳上げ防止具を、金属板の打抜きにより一体的に形成してなる請求項１〜３のいずれかに記載の商品陳列什器。
【発明の詳細な説明】
【技術分野】
【０００１】
本発明は、棚の跳上がりを防止した商品陳列什器に関する。
【背景技術】
【０００２】
このような、棚の跳上がりを防止した商品陳列什器としては、例えば特許文献１及び２に記載されているものがある。
【特許文献１】特開２００１−１９７９７３号公報
【特許文献２】特許第３５７９８６０号公報
【発明の開示】
【発明が解決しようとする課題】
【０００３】
上記特許文献１に記載されている商品陳列什器においては、棚(ブラケット)の跳上がりを防止する跳上げ防止具(押さえ具)の形状が複雑であるため、複数の製造工程を要し、その製造コストが増大する。
また、跳上げ防止具を支柱に取付けた際に、その把手片が棚側に大きく突出するので、体裁も悪い。
【０００４】
特許文献２に記載の商品陳列什器では、支柱と、棚板を支持する横桟との両方に、棚(横桟)の跳上がりを防止する跳上げ防止具(有頭連結ピン)を挿入するためのピン挿入孔を設ける必要があるため、一般的な汎用性の高い支柱や横桟をそのまま使用することができず、コスト高となる。
【０００５】
本発明は、上記問題点に鑑みてなされたもので、棚側に何ら加工を施す必要がなく、かつ簡単な形状の跳上げ防止具を、単に、汎用性のある支柱に取付けるだけの簡単かつ安価な構成で、棚の跳上がりを防止しうるようにした商品陳列什器を提供することを目的としている。
【課題を解決するための手段】
【０００６】
本発明によると、上記課題は、次のようにして解決される。
（１）前後左右に並ぶ中空状の４本の支柱における左右に対向する内側面に設けた上下複数の係合孔のいずれかに、支持具を取付け、各支持具により、支柱の内側面における前記係合孔と対向する左右方向を向くフェンスを上面に有する棚を支持してなる商品陳列什器において、前記いずれかの支柱における前記棚の直上に位置する係合孔に、この係合孔の上下寸法より大きな上下寸法のストッパ片と、外側端に斜め下向きに連設され、前記係合孔に挿入可能な挿入片とからなる跳上げ防止具を、その挿入片を前記係合孔に挿入することにより、前記ストッパ片が前記支柱の内側面と前記フェンスの外側面との間に位置するとともに、ストッパ片の下端が前記棚の隅部の上面と近接または当接するようにして取付ける。
【０００７】
（２）上記(１)項において、挿入片の厚さを、係合孔に斜め内側から挿入しうる寸法とする。
【０００８】
（３）上記(１)または(２)項において、ストッパ片の幅を、フェンスの外側面と支柱の内側面との対向面間の寸法とほぼ等しくする。
【０００９】
(４)  上記(１)〜(３)のいずれかにおいて、跳上げ防止具を、金属板の打抜きにより一体的に形成する。
【発明の効果】
【００１０】
請求項１記載の発明によれば、棚側に何ら加工等を施すことなく、簡単な構造の跳上げ防止具の挿入片を、単に、汎用性のある支柱の内側面に設けた係合孔に挿入して取付けるだけで、棚の跳上がりを防止しうるので、極めて安価に実施することができる。
また、跳上げ防止具のストッパ片は、支柱の内側面とフェンスの外側面との間に位置しているので、跳上げ防止具が係合孔より抜け外れるのが防止される。
【００１１】
請求項２記載の発明によれば、棚の上面にフェンスを取付けたままでも、跳上げ防止具の挿入片を支柱の係合孔に容易に挿入することができる。
【００１２】
請求項３記載の発明によれば、ストッパ片の内側面がフェンスの外側面と近接するので、跳上げ防止具が係合孔から抜け外れるのが確実に防止される。
【００１３】
請求項４記載の発明によれば、跳上げ防止具を、金属板の打抜き工程のみで、極めて容易に、かつ安価に製作することができる。
【発明を実施するための最良の形態】
【００１４】
以下、本発明の実施形態を、図面に基づいて説明する。
図１は、本発明を適用した商品陳列什器の斜視図で、前後左右(以下、図１の斜め右下方を前として説明する)に並ぶ汎用の４本の支柱１における上下両端部の左右と前後の対向面同士を、左右方向を向く２本ずつの連結杆２、２と前後方向を向く２本ずつの連結杆３、３により連結して形成された棚フレーム４と、上方の前後左右の連結杆２、３により囲まれた枠内に嵌め込まれたガラス製の棚板５と、下方の前後左右の連結杆２、３により囲まれた枠内に嵌め込まれたベース棚板６と、棚フレーム４の中間部において、前後左右の４本の支柱１により高さ調節可能に支持された中間棚７とを備えている。
【００１５】
中間棚７は、図２にも一部を拡大して示すように、左右方向を向く前後１対の角筒状横杆８、８における両側端部の対向面に、前後方向を向く左右１対の角筒状側杆９、９の前後両端を結合して形成された棚板支持枠１０と、この棚板支持枠１０に嵌め込まれ、各横杆８と側杆９の内面に突設された内向支持片１１により支持されているガラス製の棚板１２とを備えている。
【００１６】
中間棚７における棚板支持枠１０の左右寸法は、左右の支柱１の対向面間の寸法とほぼ等しく、同じく前後寸法は、前後の支柱１の外面間の寸法よりも僅かに小とされている。
棚板支持枠１０における前後の横杆８と左右の側杆９の上面には、棚板１２上に陳列される物品の落下を防止するためのロッドよりなるフェンス１３が、その両端の下向折曲部１３aと、中間部下面に固着された支持杆１４との下端部を、横杆８と側杆９の上面に穿設された取付孔１５に上方より嵌合することにより、着脱可能に取付けられている(図３参照)。
【００１７】
図３及び図４に示すように、各支柱１の内側面に多数列設されたスリット状の係合孔１６の互いに等高をなす４個のものには、中間棚７における前後左右の四隅部の下面を支持する支持具１７が取付けられている。
支持具１７は、フック部１８の内側端に雄ねじ部１９が連設され、かつ係合孔１６に挿脱可能な板厚の横向きＴ字状をなす係止金具２０と、外側方に開口する有底のめねじ孔２１を中心に有する円柱状の固定ナット２２とからなっている。
【００１８】
フック部１８の上下寸法は、係合孔１６のそれよりも大とされ、かつ雄ねじ部１９を、フック部１８のやや下方寄りに連設することにより、フック部１８における雄ねじ部１９から上方に突出する長さが、同じく下方に突出する長さよりも大きくなるようにしてある。
【００１９】
雄ねじ部１９における円弧面をなす上下両面には、固定ナット２２のめねじ孔２１が螺合されるおねじ１９aが形成されている。
【００２０】
図３に示すように、支柱１の係合孔１６に、係止金具２０のフック部１８を、その長い方の上端部から先に嵌合して全体を押下げ、係合孔１６の裏面にフック部１８の内端面を係合させたのち、雄ねじ部１９に固定ナット２２を螺合することにより、各支柱１の内側面に支持具１７が固定されている。
【００２１】
中間棚７は、その棚板支持枠１０の四隅部下面、すなわち前後の横杆８における左右両端部下面を、各支柱１に固定した支持具１７の固定ナット２２の上面に載置することにより支持され、左右の側杆９における前後の両端部下面に固着した下向突片２３を、各支持具１７の固定ナット２２における前後の対向面に近接させることにより、中間棚７は、前後方向に位置ずれするのが防止されている(図３参照)。
【００２２】
支持具１７により支持された中間棚７は、各支柱１の係合孔１６に、垂直平板状の跳上げ防止具２４を挿入することにより、跳上がりが防止されている。
跳上げ防止具２３は、係合孔１６に挿脱可能な厚さ、例えば係合孔１６の前後寸法のほぼ半分の厚さの金属板を打ち抜いて形成され、係合孔１６の上下寸法よりも大きな上下寸法の上下方向を向くストッパ片２５と、その下方寄りの外側端に連設された、係合孔１６を通して支柱１内に挿入可能な斜め下向きの挿入片２６とを有している。
【００２３】
ストッパ片２５の左右寸法は、支柱１の内側面と、フェンス１３の下向折曲部１３aとの対向面間の寸法よりも僅かに小とされている。
挿入片２６は、短寸の外向水平部２６aと、斜め下方を向く傾斜部２６bと、下向垂下部２６cとからなり、それらの幅は、係合孔１６の上下寸法よりも若干小とされている。
また、挿入片２６全体の左右寸法は、下向垂下部２６cの外端が、支柱１内において、その外側の内壁と当接しない寸法に設定されている。
【００２４】
跳上げ防止具２４の挿入片２６を、棚板支持枠１０の直上に位置する支柱１の係合孔１６に、先端を上方に向けて回転させながら挿入して落とし込むと、挿入片２６の重心がストッパ片２５よりも下方に位置するので、跳上げ防止具２４には、図３の矢印で示すように、挿入片２６の自重による内向きの回転モーメントが作用する。
【００２５】
これにより、跳上げ防止具２４全体は、支柱１の両側面に対し自然に垂直となり、ストッパ片２５の上下の端部が、それぞれ係合孔１６の上方と下方に位置した状態で、ストッパ片２５の上端部の外側端が、支柱１の内側面に当接するとともに、挿入片２６における傾斜部２６bの下面の上端、すなわち外向水平部２６aと傾斜部２６bの下面との連設部２７が、支柱１における係合孔１６の下部開口部の内縁に当接することにより、跳上げ防止具２４は、垂直に係止保持される。
この係止時において、ストッパ片２５の下端が棚板支持枠１０の上面に当接または近接するように、ストッパ片２５における挿入片２６の基端からの下向き寸法を適宜に設定してある。
【００２６】
跳上げ防止具２４は、フェンス１３を取付けた中間棚７を支柱１に支持したままの状態では、支柱１の内側面と対向する内方から、係合孔１６に挿入することはできない。
しかし、跳上げ防止具２４の厚さは、係合孔１６の前後寸法のほぼ半分とされ、かつストッパ片２５の左右寸法を、支柱１の内側面と、フェンス１３の下向折曲部１３aとの対向面間の寸法よりも僅かに小としてあるため、フェンス１３が取付けられた中間棚７を支柱１に支持した状態のまま、次のようにして、跳上げ防止具２４を係合孔１６に挿入することができる。
【００２７】
すなわち、前側の跳上げ防止具２４については、図４に示すように、支柱１の斜め内側前方より、また後側の跳上げ防止具２４については、図示は省略するが、支柱１の斜め内側後方より、それぞれ、挿入片２６下向きに回動させるとともに、跳上げ防止具２４全体を、棚７の中央に向かって前後方向に回動させながら、係合孔１６に挿入することができる。
【００２８】
このようにして、跳上げ防止具２４を係合孔１６に挿入すると、ストッパ片２５の内端面が、左右方向を向くフェンス１３の下向折曲部１３aの外側面と近接して対向することにより、係合孔１６より跳上げ防止具２４が抜け外れるのが防止される。
【００２９】
地震等により、中間棚７に上向きの力が加わり、棚板支持枠１０の四隅部の上面が、各支柱１の係合孔１６に挿入した跳上げ防止具２４におけるストッパ片２５の下端に当接すると、挿入片２６の外向水平部２６aの上端が係合孔１６の上部下端と当接して、上方への移動が阻止されることにより、中間棚７の跳上がりが防止される。
【００３０】
以上説明したように、上記実施形態においては、一般的な商品陳列什器に使用される汎用性の高い支柱１におけるスリット状の係合孔１６に、単に打抜きにより形成された平板状の跳上げ防止具２４を挿入するだけの簡単な構成により、中間棚７の跳上がりを防止しうるため、極めて安価に実施することができる。
また、中間棚７には、何ら加工を施す必要がないので、その製作コストも低減しうる。
【００３１】
上記実施形態では、跳上げ防止具２４を、４本の支柱の全ての係合孔１６に取り付けているが、これを、対角をなす２本の支柱１、もしくは、いずれか１本の支柱１のみに取付けることもある。
【図面の簡単な説明】
【００３２】
【図１】本発明の商品陳列什器の一実施形態の斜視図である。
【図２】同じく、中間棚における右側前部の支柱への支持部の拡大斜視図である。
【図３】同じく、中間棚における右側前部の支柱への支持部の縦断正面図である。
【図４】同じく、跳上げ防止具の係合孔への挿入要領を示す平面図である。
【符号の説明】
【００３３】
１    支柱
２    連結杆
３    連結杆
４    棚フレーム
５    棚板
６    ベース棚板
７    中間棚
８    横杆
９    側杆
１０  棚板支持枠
１１  内向支持片
１２  棚板
１３  フェンス
１３a 下向折曲部
１４  支持杆
１５  取付孔
１６  係合孔
１７  支持具
１８  フック部
１９  雄ねじ部
１９a おねじ
２０  係止金具
２１  めねじ孔
２２  固定ナット
２３  下向突片
２４  跳上げ防止具
２５  ストッパ片
２６  挿入片
２６a 外向水平部
２６b 傾斜部
２６c 下向垂下部
２７  連設部
【図１】
2008220631.tif 000003
【図２】
2008220631.tif 000004
【図３】
2008220631.tif 000005
【図４】
2008220631.tif 000006